(57)【要約】      （修正有）【課題】発熱部品の大きさや形状に合わせて種々な大きさ形状のものを用意する必要がなく、絶縁性を確保しつつ、どのような底面等の形状を有する発熱部品についても適切量の放熱樹脂を用いて容易に放熱させることが可能に構成された電気機器を提供する。【解決手段】ベースケース２の内面に第１の絶縁シート３配置され、発熱部品５１を含む電気部品が実装された回路基板６が第１の絶縁シート３を介してベースケース２の底面部側に配置され、カバーケースの内側面に沿うようにカバーケース内面に第２の絶縁シートが配置され、上記発熱部品５１に隣接する第１の絶縁シート３に、発熱部品５１に対応した所要領域を形成するように、発熱部品５１側に突出して複数のスタッド部３１が形成され、前記所要領域において、発熱部品５１に熱的に結合する絶縁性放熱樹脂６０が上記所要領域に配置されている。【選択図】図２
2010170840.tif 000002
【特許請求の範囲】
【請求項１】
底面部及びこの底面部の両側から上方に連続する一対の側壁部により樋状に構成されたベースケースと；
天板部及びこの天板部の両側から連続してベースケースの側壁部に重なるように形成された一対の側板部を有し、この一対の側板部がベースケースの側壁部に重合するように係合されたカバーケースと；
ベースケースの底面部内面に及び一対の側壁部内面に沿うように、ベースケース内面に配置された絶縁シートと；
発熱部品を含む電気部品が実装された回路基板により構成され、回路基板が絶縁シートを介してベースケースの底面部側に配置された電気回路と；
前記発熱部品に隣接する絶縁シートに発熱部品に対応した所要領域を形成するように、発熱部品側に突出して形成された複数のスタッド部と；
絶縁シートの前記所要領域に配置され、発熱部品に熱的に結合する絶縁性放熱樹脂と
を具備したことを特徴とする電気機器。
【請求項２】
少なくとも一つのスタッド部の先端部によって、前記回路基板が支持されていることを特徴とする請求項１に記載の電気機器。
【請求項３】
点灯装置として使用される請求項１または２に記載の電気機器と；
この点灯装置により点灯される光源と；
点灯装置及び光源を配置している器具本体と
を具備することを特徴とする照明器具。
【発明の詳細な説明】
【技術分野】
【０００１】
本発明は、ベースケースとこれの蓋であるカバーケースにより箱状に構成され、内部の回路を絶縁するための絶縁シートを備える電気機器に関する。
【背景技術】
【０００２】
従来の照明用点灯装置にあっては、図６（ａ）に示されるように、回路基板９０の一面上に実装された発熱部品９１の頭部９１ｔや底面部９１ｂに、プレート状の固定形状を有するシリコーンシート９３を介装させて放熱を行っていた。発熱部品９１の頭部９１ｔに設けられるシリコーンシート９３は、カバーケース９４の内側に設けられている絶縁シート９５と発熱部品９１の頭部９１ｔ間に介装される。
【０００３】
或いは、図６（ｂ）に示されるよう回路基板９０の裏面に実装された発熱部品９６については、ベースケース９７の内側に設けられている絶縁シート９８と発熱部品９６の頭部９６ｔの間にシリコーンシート９３が介装される。
【０００４】
しかしながら、上記のようなシリコーンシート９３は、前述の通り、固定形状であるから、発熱部品の大きさや形状に合わせて、更に、発熱部品と絶縁シートとの間の寸法に合わせて、大きさや厚みなど種々様々なラインナップを揃える必要があり、煩わしい上に、コスト的に高価である問題点があった。また、製造の過程においては、発熱部品の大きさや形状に合わせて、更に、発熱部品と絶縁シートとの間の寸法に合わせて、適切なシリコーンシートを選択して実装する必要があり、作業効率の点からも問題であった。
【０００５】
上記に対し、基板のベースケース側に配置された絶縁シートに、基板側へ突出する環状の凸部を設け、この環状の凸部により囲まれた凹部に発泡性放熱材を充填した構成の放電灯点灯装置が知られている（特許文献１参照）。
【発明の概要】
【発明が解決しようとする課題】
【０００６】
しかしながら、上記の放電灯点灯装置では、環状の形状としては、円環や矩形の周囲に沿った環状などは比較的作成し易いものの、発熱部品の底面等の形状に合わせようとすると、作成が難しいという問題があった。
【０００７】
また、環状の形状を有する凸部に囲まれた領域の形状を、発熱部品の底面等の形状に近付けることはできても、多くの場合には発熱部品の底面等の形状とは異なることから、必要面積を有する領域を環状の形状を有する凸部によって囲むことはできず、広い領域を囲むような凸部の場合には無駄な発泡性放熱材が必要となり、逆に狭い領域を囲むような凸部の場合には必要な部位の十分な放熱を期待できないなどの問題があった。
【０００８】
本発明は、上記のような従来の点灯装置等の電気機器が有している問題点を解決するもので、シリコーンシートのように発熱部品の大きさや形状に合わせて種々な大きさ形状のものを用意する必要がなく、絶縁性を確保しつつ、どのような底面等の形状を有する発熱部品についても適切量の放熱樹脂を用いて容易に放熱させることが可能に構成された電気機器を提供することを目的とする。
【課題を解決するための手段】
【０００９】
本発明に係る電気機器は、底面部及びこの底面部の両側から上方に連続する一対の側壁部により樋状に構成されたベースケースと；天板部及びこの天板部の両側から連続してベースケースの側壁部に重なるように形成された一対の側板部を有し、この一対の側板部がベースケースの側壁部に重合するように係合されたカバーケースと；ベースケースの底面部内面に及び一対の側壁部内面に沿うように、ベースケース内面に配置された絶縁シートと；発熱部品を含む電気部品が実装された回路基板により構成され、回路基板が絶縁シートを介してベースケースの底面部側に配置された電気回路と；前記発熱部品に隣接する絶縁シートに発熱部品に対応した所要領域を形成するように、発熱部品側に突出して形成された複数のスタッド部と；絶縁シートの前記所要領域に配置され、発熱部品に熱的に結合する絶縁性放熱樹脂とを具備したことを特徴とする。
【００１０】
絶縁性放熱樹脂は、絶縁シートと同等の絶縁性能を備えたものであり、Ｅ種絶縁物登録を受けているものが好適である。絶縁性放熱樹脂としては、耐候性、絶縁性に優れた所定のグレードのウレタン樹脂、シリコーン樹脂等を用いることができる。発熱部品は、発熱するため放熱の必要がある所要の電気電子部品であり、トランス、トランジスタ、コンデンサなどをあげることができるが、これらに限定されない。また、絶縁性放熱樹脂は、チキソ性を有するものが好適である。チキソ性とは、チキソトロピー（Thixotropy）性のことで、攪拌すると流動性を増し、静置すると固形化する性質であり、塗布等の後に傾斜面や垂直面等に置いても流動しない性質である。
【００１１】
スタッド部の形状としては、概ね円錐台形、円柱形、角柱形などのどのような形状でもよい。また、隣接するスタッド部の距離は、所要位置に絶縁性放熱樹脂を押え得る距離であれば特に制限はない。更に、複数のスタッド部の形状を全て等しくする必要はない。
【００１２】
本発明に係る電気機器は、少なくとも一つのスタッド部の先端部によって、前記回路基板が支持されていることを特徴とする。
【００１３】
安定的な支持の観点から、三つ以上のスタッド部によって、回路基板を支持することが望ましい。従って、複数のスタッド部の高さ寸法は、必ずしも全てが同じ寸法である必要はない。
【００１４】
本発明に係る照明器具は、点灯装置として使用される請求項１または２に記載の電気機器と；この点灯装置により点灯される光源と；点灯装置及び光源を配置している器具本体とを具備することを特徴とする。
【発明の効果】
【００１５】
本発明に係る電気機器によれば、複数のスタッド部が、発熱部品に隣接する絶縁シートに、発熱部品に対応した所要領域を形成するように、発熱部品側に突出して形成されているので、複数のスタッド部が壁として機能し、上記所定領域に絶縁性放熱樹脂を閉じ込めることができる。この場合に、スタッド部を発熱部品の底面などの形状に合わせて適当な間隔により配置することによって、必要十分な範囲に適切量の絶縁性放熱樹脂を用いて放熱させることが可能である。従って、無駄がなく、また効率的な放熱を実現することができる。
【００１６】
本発明に係る電気機器によれば、少なくとも一つのスタッド部の先端部によって、回路基板が支持されているので、ベースケースの一部を切欠して形成する爪に代えて、このスタッド部を用いることができ、絶縁性を有するもので回路基板を支持することができ、支持するポイントの近傍に部品を配置することが可能で、部品配置の自由度を従来よりも高くすることができる。
【００１７】
本発明によれば、請求項１または２に記載の電気機器を備えた照明器具を提供することができる。
【図面の簡単な説明】
【００１８】
【図１】本発明に係る電気機器の実施例である放電ランプ点灯装置を示す一部省略組立斜視図。
【図２】本発明に係る電気機器の実施例である放電ランプ点灯装置の第１の実施形態における要部構成を示す一部断面側面図。
【図３】本発明に係る電気機器の実施例である放電ランプ点灯装置に用いられる絶縁シートの要部構成を示す平面図。
【図４】本発明に係る電気機器の実施例である放電ランプ点灯装置の第２の実施形態における要部構成を示す一部断面側面図。
【図５】本発明の電気機器に係る実施例を用いて構成した照明器具の構成を示す斜視図。
【図６】電気機器の従来例である放電ランプ点灯装置の要部構成を示す一部断面側面図。
【発明を実施するための形態】
【００１９】
以下添付図面を参照して、本発明に係る点灯装置等の電気機器及び照明器具の実施例を説明する。各図において、同一の構成要素には同一の符号を付して重複する説明を省略する。図１に、本発明に係る電気機器の実施例である放電ランプ点灯装置を示す。
【００２０】
放電ランプ点灯装置１は、ベースケース２、第１の絶縁シート３、点灯回路４、カバーケース５及び第２の絶縁シート７を主な構成要素としている。絶第１縁シート３は、ベースケース２の内側を沿って配置されており、金属製のベースケース２と点灯回路４との電気的接続を遮断している。点灯回路４は、回路基板６に電気部品を実装した構成を有している。カバーケース５は、ベースケース２に覆い被さる蓋の機能を有し、カバーケース５の内側に沿って、上に凸の半円の円弧に相当するＲ形状を有する第２の絶縁シート７が配置される。カバーケース５とベースケース２により構成される筐体内には、第１の絶縁シート３と第２の絶縁シート７に覆われた状態で点灯回路４が収納される。
【００２１】
ベースケース２は、例えば１枚の金属製の平板を折り曲げて、底面部２ａの両側部に一対の側壁部２ｂ、２ｂを備えるように構成されている。金属としては、例えば鋼板材が用いられる。上記底面部２ａは、細長い長方形の形状に形成されている。また、一対の側壁部２ｂ、２ｂは、底面部２ａの長手方向に沿うように両側から上方に折り曲げられ、底面部２ａとほぼ直交し互いに対向してベースケース２の全体が略樋形状に形成されている。
【００２２】
一対の側壁部２ｂ、２ｂは、その長手方向の一端側２ｂａ及び図示しない他端側及び中央位置に、係合部である孔８と、四角形状の透通孔１０がそれぞれ形成されている。孔８は、円形状に形成され、カバーケース５の係合部である凸部（ベースケース２側へ向かって凸）１６と係合する大きさに形成されている。
【００２３】
更に、一対の側壁部２ｂ、２ｂにおいては、その長手方向の一端側２ｂａ及び図示しない他端側及び中央位置に、それぞれ側壁部２ｂ、２ｂの内側に突出する長形の基板支持段部２２が形成されている。合計６個である基板支持段部２２は、第１の絶縁シート３を介して回路基板６を支持する。更に、底面部２ａの長手方向の一端側２ａａ及び図示しない他端側には、取付け孔１２が穿設されている。
【００２４】
第１の絶縁シート３は、平面状に形成された絶縁性の例えば、厚さが0.2 〜1.0 ｍｍ程度のポリエチレンテレフタレート（ＰＥＴ）などの弾性を有する樹脂により構成され、ベースケース２の内面に沿ってベースケース２に配置され、一部が側壁部２ｂ、２ｂから上方へ突出している。第２の絶縁シート７の材質と厚みとを有する。
【００２５】
点灯回路４は、電気部品が回路基板６に実装されて構成されている。回路基板６には、その上面６ａにおいて、一端側６ｂに入力用の端子台１３が配設されており、図示しない他端側に出力用の端子台が配設されている。入力用の端子台１３には、商用交流電源からの電源線が接続され、出力用の端子台からは、放電ランプが装着されるランプソケットに接続されるリード線が導出される。
【００２６】
電気部品は、回路基板６の入力用の端子台１３と出力用の端子台との間に実装されており、コンデンサＣ１、インダクタＬ１更に図示しないトランジスタなどによって、交流電圧を直流電圧へ変換する直流電源回路、直流電圧を高周波交流電圧へ変換するインバータ回路、更に放電ランプに共振電圧を印加する共振回路などが形成されている。上記の点灯回路４は、第１の絶縁シート３を介してベースケース２の底面部２ａ側に配置されている。
【００２７】
カバーケース５は、例えば鋼板材により構成され、一対の側板部５ｃ、５ｃ及びこの一対の側板部５ｃ、５ｃをつなぐ天板部５ａを有する。より詳細には、カバーケース５は、一枚の平板を折り曲げて構成したもので、長方形状の天板部５ａと、この天板部５ａの長手方向に沿う両端に連設すると共に天板部５ａに対して互いに内向きに傾斜する一対の傾斜板部５ｂ、５ｂを備える。この一対の傾斜板部５ｂ、５ｂには、その長手方向に沿うように互いにほぼ平行に対向する一対の側板部５ｃ、５ｃが連設している。更に、天板部５ａにおける長手方向の両端には、天板部５ａに対しほぼ直交するように形成された一対に端板部５ｄ、５ｄが天板部５ａに連設している。この端板部５ｄ、５ｄは、平面形状が略五角形状をなし、カバーケース５における長手方向の両側端の開口１４の上側を略閉塞している。側板部５ｃ、５ｃは、傾斜板部５ｂ、５ｂを介して天板部５ａの長手方向に沿う両側に連設されている。
【００２８】
上記一対の側板部５ｃ、５ｃのそれぞれの一端側５ｃｂ、５ｃｂおよび図示しない他端側には、係合部である凸部（ベースケース２側へ向かって凸）１６と爪孔部９が形成されている。凸部１６は、側板部５ｃの外面５ｃｃを例えばプレスすることにより凹ませて形成され、側板部５ｃの内面５ｃｄからカバーケース５の内側に突出している。そして、その突出面は、略球面状（楕円状）に形成されている。凸部１６は、通称ダボ構造に形成されている。爪孔部９から凸部１６までの距離は、爪部９ｃを折り曲げた際に生じる基部９ａ付近に生じる反り返りの影響の範囲を避ける程度に十分長く設定されている。
【００２９】
カバーケース５をベースケース２に連結するときに、ベース２の一対の側壁部２ｂ、２ｂは、カバーケース５の側板部５ｃ、５ｃに挟まれる。これにより、カバーケース５の側板部５ｃ、５ｃの内面５ｃｄ、５ｃｄとベースケース２の一対の側壁部２ｂ、２ｂの外面が重なり合う。そして、カバーケース５をベースケース２の底面部２ａ側に押圧して移動させると、カバーケース５の凸部１６が側壁部２ｂ、２ｂの外面に乗り上がる。
【００３０】
凸部１６は、一対の側板部５ｃ、５ｃがベースケース２の一対の側壁部２ｂ、２ｂに重なり合うときに、側壁部２ｂ、２ｂに設けられた孔８に嵌合する。このとき、孔８のほぼ全周の縁部に凸部１６の突出面が当接する。これにより、凸部１６は孔８に強固に固定され、孔８において移動しなくなる。
【００３１】
爪孔部９は、側板部５ｃの外面５ｃｃを切り込むことにより形成されている。爪孔部９には、側板部５ｃの出幅方向（側板部５ｃの長手方向に直交する方向）を向くように爪部９ｃが形成されている。カバーケース５がベースケース２に被せられるようにして連結された状態では、カバーケース５の爪孔部９はベースケース２の透通孔１０と重なる。ここで、爪孔部９の開口１５に相当する部位を内面方向に押圧して爪部９ｃを折り曲げる治具を用いて、爪部９ｃが透通孔１０より内側に折り込まれる。
【００３２】
カバーケース５がベースケース２に被せられる場合には、カバーケース５の内側に沿って配置されているＲ形状を有する第２の絶縁シート７の下端部が、第１の絶縁シート３の上端部に被さる。これにより、端子台１３などを除く回路基板６は、第１の絶縁シート３及び第２の絶縁シート７に包まれた状態となり、外部と電気的に絶縁される。
【００３３】
回路基板６には、発熱部品５１が実装されており、第１の実施形態においては、図２に示すような実装構造を有している。例えば、発熱部品５１の発熱部位が底部側にある。この発熱部品５１の底部に相当する領域Ｒを囲繞するように（図３）、第１の絶縁シート３には、発熱部品５１側に突出して複数のスタッド部３１が形成されている。
【００３４】
このスタッド部３１は、例えば熱プレス等によって形成され、基部３２から先端部３３へ向かって小径となる概ね円錐形をなしている。図３の平面図に示すように、隣接するスタッド部３１、３１間の距離Ｓ１〜Ｓ８の全てが等しい訳ではなく、必要となる領域Ｒの形状などにより適宜に設定されている。
【００３５】
複数のスタッド部３１の内において幾つかのスタッド部３１における先端部３３は、回路基板６の裏面６１に当接して、回路基板６を支持している。係る回路基板６を支持するスタッド部３１が複数存在しているので、前述した基板支持段部２２は必ずしも必要なものではなく、基板支持段部２２を設けない実施例も存在する。
【００３６】
複数のスタッド部３１により囲繞されている領域Ｒ及びその上方の空間には、絶縁性放熱樹脂６０が設けられている。この絶縁性放熱樹脂６０を充填したときに、絶縁性放熱樹脂６０が複数のスタッド部３１、３１の間隙から流出しないように、上記隣接するスタッド部３１、３１間の距離Ｓ１〜Ｓ８が設定されている。絶縁性放熱樹脂６０は、チキソ性を有するので、充填から時間が経過すると固形化して複数のスタッド部３１、３１の間隙から流出することはない。
【００３７】
以上の構成により、所要部位に必要十分の絶縁性放熱樹脂６０を配置して留めることができ、発熱部品５１について適切な放熱を行うことができる。また、回路基板６を安定的に支持することもできる。
【００３８】
第２の実施形態においては、図４に示すような実装構造を有している。例えば、発熱部品５１の発熱部位が底部側にあり、回路基板６に発熱部品５１が実装されている。発熱部品５１の発熱部位である底部と対向する回路基板６の位置に、透孔６２が穿設されている。透孔６２を中心として発熱部品５１の底部面積に相当する回路基板６の裏面６１と対向する第１の絶縁シート３の位置に、開口部５２ａが設けられている。上記の構成以外は、第１の実施例と同様の構成が採用されている。
【００３９】
この構成によって、スタッド部３１による台１の実施例と同様の効果を得ることができる他に、発熱部品５１の発熱部位である底部の熱は、絶縁性放熱樹脂６０により放熱されると共に、絶縁性放熱樹脂６０を介してベースケース２に伝導して放熱されるので、より効率的な放熱を行うことができる。上記では、複数のスタッド部３１を第１の絶縁シート３に形成したが、第２の絶縁シート７に形成しても良い。
【００４０】
図５には、本発明に係る照明器具の実施例を示す。照明器具３０は、天井面などに直付けされる照明器具であり、略枠状の器具本体１７の両端に一対のランプソケット１８、１８が設けられている。このランプソケット１８、１８には、放電ランプである直管形蛍光ランプ１９が装着されている。また、器具本体１７は、蛍光ランプ１９に対向して断面略皿状の反射板２０を取り付けており、この反射板２０の表面は反射面２０ａとなっている。
【００４１】
また、器具本体１７は、反射板２０の内側において、図１に示した放電ランプ点灯装置１をベースケース２の底面部２ａに設けた取付け孔１２に通しねじにより固定している。そして、放電ランプ点灯装置１が給電されることにより、蛍光ランプ１９が点灯する。
【００４２】
照明器具３０は、放電ランプ点灯装置１の小型化により、容易に配設スペースを確保することができ、放電ランプ点灯装置１の低コスト化により、安価に形成することができる。
【符号の説明】
【００４３】
２  ベースケース
３  第１の絶縁シート
５  カバーケース
６  回路基板
７  第２の絶縁シート
３１  スタッド部
６０  絶縁性放熱樹脂
【先行技術文献】
【特許文献】
【００４４】
【特許文献１】特開２００４−２７４０１８号公報
【図１】
2010170840.tif 000003
【図２】
2010170840.tif 000004
【図３】
2010170840.tif 000005
【図４】
2010170840.tif 000006
【図５】
2010170840.tif 000007
【図６】
2010170840.tif 000008